(57)【要約】【課題】  横モード振動により生じるスパイクなどの不規則な成分を含まない吸収及び／又は伝送スペクトルを有する薄膜圧電共振器および薄膜圧電フィルタを提供する。【解決手段】  本発明の薄膜圧電共振器は、第１の面及び第２の面を有する圧電シートと、前記第１の面上の導電性の層から成る第１の電極と、前記第２の面上の導電性の層から成る第２の電極とを有し、前記第１の電極の一部は前記圧電シートを挟んで前記第２の電極の少なくとも一部分に重なり合って圧電振動領域を形成している薄膜圧電共振器であり、圧電シートの厚み方向から見た前記圧電振動領域の形が、長さの等しい２つの直線を含む３つの辺からなる。また、薄膜圧電フィルタは、圧電振動領域を構成する長さの等しい２辺の内の１辺が対向するように、薄膜圧電共振器が配置されている。【選択図】  図７
2006245979.tif 000002
【特許請求の範囲】
【請求項１】
第１の面及び第２の面を有する圧電シートと、前記第１の面上の導電性の層から成る第１の電極と、前記第２の面上の導電性の層から成る第２の電極とを有し、前記第１の電極の一部は前記圧電シートを挟んで前記第２の電極の少なくとも一部分に重なり合って圧電振動領域を形成している薄膜圧電共振器であり、圧電シートの厚み方向から見た前記圧電振動領域の形が、長さの等しい２つの直線を含む３つの辺からなり、前記第１の電極及び第２の電極の少なくとも一方の電極の厚さが、厚み方向の振動波長の０．０５倍以上であることを特徴とする薄膜圧電共振器。
【請求項２】
前記圧電振動領域の形が、二等辺三角形であることを特徴とする請求項１記載の薄膜圧電共振器。
【請求項３】
前記圧電振動領域の形が、直角二等辺三角形であることを特徴とする請求項１記載の薄膜圧電共振器。
【請求項４】
前記圧電振動領域の形が、扇形であることを特徴とする請求項１記載の薄膜圧電共振器。
【請求項５】
前記圧電振動領域の形が、正三角形であることを特徴とする請求項１記載の薄膜圧電共振器。
【請求項６】
第１の電極の厚さ及び第２の電極の厚さが、共に、厚み方向の振動波長の０．０５倍以上であることを特徴とする請求項１ないし５に記載の薄膜圧電共振器。
【請求項７】
請求項１〜６のいずれかに記載の圧電薄膜共振器を複数用いた薄膜圧電フィルタであって、フィルタを構成する全ての圧電薄膜共振器において、隣り合う電気的に結合されている薄膜圧電共振器が、前記圧電振動領域を構成する長さの等しい２辺の内の１辺どうしが対向するように、配置されていることを特徴とする薄膜圧電フィルタ。
【発明の詳細な説明】
【技術分野】
【０００１】
本発明は、通信機器等に使用される薄膜圧電共振器およびそれを用いた薄膜圧電フィルタに関するものである。
【背景技術】
【０００２】
電子装置のコストやサイズをより低く抑える為に、フィルタ素子の小型化へのニーズは常に存在する。携帯電話や小型ラジオ等のような民生用電子機器においては、その中に利用する部品に対してサイズ及びコストの両方に厳しい制限が強いられる。一方そのようなデバイスの多くには、正確に周波数が調整されていなければならないフィルタが利用される。従ってこれまでもより安価でコンパクトなフィルタユニットを供給しようという努力が払われて来た。
【０００３】
これらのニーズを満たす能力を持つフィルタ素子の中には音響共振器から作られる種類のものが存在する。これらの音響共振器から作られるフィルタ素子として、圧電シート中のバルク縦音波を利用する薄膜圧電共振器がある。単純な構成の１つにおいては、圧電シートが２つの金属電極に挟まれた形になっている。このサンドイッチ構造は、その外周を支持することにより空気中に置かれる。電圧の印加により２つの電極の間に電界が作られると、圧電シートは電気的エネルギーの一部を音波という形の機械的エネルギーへと変換する。音波は電界と同方向で縦に伝搬されて電極／空気間の界面で反射するか、或は電界を横切る方向に伝わり、電極又はその構造体の端部の様々な断絶部において反射する。このとき、前記サンドイッチ構造が複数積み重ねられた積層構造であっても、支持される場所が空気中でなく複数の音響インピーダンスの異なる層により構成された音響ミラー層であっても同様である。
【０００４】
この種の薄膜圧電共振器は電気的に結合可能な機械的共振器であり、従ってフィルタとしての作用を持つ。材料中を伝わる音のある所定の位相速度に対する機械的共振周波数は、デバイス中を縦に伝わる音波の半波長がデバイスの全厚さに等しくなる周波数である。音の速度は光の速度よりも４桁も低い為、共振器はかなり小さくすることが出来る。ＧＨｚ領域での応用に使用される共振器は直径１００μ未満、厚さ数μの物理寸法に作ることが出来る。
【０００５】
圧電シート中のバルク縦音波を利用する薄膜圧電共振器は、中心部に１〜２μ程度の厚さの圧電シートがあり、その圧電シートの上下を電極で挟む構造をしている。電極に電圧を印加することにより圧電シートを通して電界が作られる。すると電界の一部は機械的な場に変換される。このようにして、薄膜圧電共振器は、材料中を伝わる音のある所定の位相速度に対する機械的共振周波数に応じた共振器として働く。
【０００６】
この種の薄膜圧電共振器は、例えば特許文献１や特許文献２に開示されている。
【０００７】
【特許文献１】特開２０００−３３２５６８号公報
【特許文献２】特開２００２−３７２９７４号公報
【発明の開示】
【発明が解決しようとする課題】
【０００８】
薄膜圧電共振器における基本振動モードについて、音波は圧縮波であれ剪断波であれ、或はラム波であれ、電極面に対して直角方向に伝搬される。しかしながら、励起され得る他の振動モードが存在する。これらの振動モードは、電極面に並行に移動し圧電振動領域の壁又は電極層の端部の断絶部で反射する音波に対応する。この振動モードは横モードと呼ばれ、その共振周波数は圧電シートの横共振モードの音響速度により、また金属電極層の横寸法により決まる。これらのモードの基本的周波数は基本モードのものよりもかなり低いが、これらの横モードのより高い高調波が基本モードの周波数帯域中に出現する場合がある。これらの高調波が薄膜圧電共振器の吸収スペクトルにおける複数のスパイク発生の要因となり問題となる。
【０００９】
本発明は上記の問題点を解決するためになされたものである。即ち、本発明の目的は、横モード振動により生じるスパイクなどの不規則な成分を含まない吸収及び／又は伝送スペクトルを有する薄膜圧電共振器および薄膜圧電フィルタを提供することである。また、小型で損失が少なく特性の優れた圧電薄膜フィルタおよびそれを構成するための薄膜圧電共振器を提供することである。
【課題を解決するための手段】
【００１０】
本発明は、第１の面及び第２の面を有する圧電シートと、前記第１の面上の導電性の層から成る第１の電極と、前記第２の面上の導電性の層から成る第２の電極とを有し、前記第１の電極の一部は前記圧電シートを挟んで前記第２の電極の少なくとも一部分に重なり合って圧電振動領域を形成している薄膜圧電共振器であり、圧電シートの厚み方向から見た前記圧電振動領域の形が、長さの等しい２つの直線を含む３つの辺からなることを特徴とする薄膜圧電共振器に関する。
【００１１】
本発明の薄膜圧電共振器の一実施形態は、前記圧電振動領域の形が、二等辺三角形である。また、本発明の薄膜圧電共振器の一実施形態は、前記圧電振動領域の形が、直角二等辺三角形である。また、本発明の薄膜圧電共振器の一実施形態は、前記圧電振動領域の形が、正三角形である。また、本発明の薄膜圧電共振器の一実施形態は、前記圧電振動領域の形が、扇形である。さらに、本発明の薄膜圧電共振器の一実施形態は、第１の電極の厚さ及び第２の電極の厚さが、共に、厚み方向の振動波長の０．０５倍以上であることを特徴とする。
【００１２】
また、本発明は、前記圧電薄膜共振器を複数用いた薄膜圧電フィルタであって、フィルタを構成する全ての圧電薄膜共振器において、隣り合う電気的に結合されている薄膜圧電共振器が、前記圧電振動領域を構成する長さの等しい２辺の内の１辺が対向するように、配置されていることを特徴とする薄膜圧電フィルタに関する。
【発明の効果】
【００１３】
本発明の前記第１の電極及び第２の電極の少なくとも一方もしくは両者の電極が共振器の振動波長の０．０５倍以上の厚みを有することにより薄膜圧電共振器のＱ値が高く、かつ薄膜圧電共振器が長さの等しい２つの直線を含む３つの辺からなる圧電振動領域を有することで横モードにより生じる不規則な成分を含まない吸収及び／又は伝送スペクトルを有する薄膜圧電共振器が提供でき、フィルタの挿入損失の低減が可能となる。
【００１４】
本発明のフィルタを構成する全ての圧電薄膜共振器において、前記圧電振動領域を構成する二等辺三角形または扇形などの長さの等しい２辺の内の１辺同士が対向するように薄膜圧電共振器を配置し、電気的に結合することにより、電気伝送線路の電気抵抗を最小にできるため、共振器間の電気伝送線路の電気損失を小さくすることができる。
【発明を実施するための最良の形態】
【００１５】
以下、本発明を図面を用いて説明する。図１（ａ）は、本発明の薄膜圧電共振器の一実施形態を示す薄膜圧電共振器１０の模式的断面図である。本発明の薄膜圧電共振器の一実施形態は、図１に示すように、第１の面及び第２の面を有する圧電シート１２と、前記第１の面上の導電性の層から成る第１の電極１１と、前記第２の面上の導電性の層から成る第２の電極１３とを有する。両面に電極を有する圧電シート１２は通常空洞１４を有する基板上に形成され、両面に電極を有する圧電シート１２の一部は、空気と接している。さらに、前記第１の電極１１の一部は前記圧電シート１２を挟んで前記第２の電極１３の少なくとも一部分に重なり合って圧電振動領域１５を形成している。即ち圧電振動領域１５とは、圧電シート１２の両面に電極１１、１３が存在し、電圧を印加することにより、圧電シート１２の厚み方向に共振の発生する領域であり、シートの厚み方向から見て、前記第１の電極１１と第２の電極１３が重なり合っている領域である。ただし、前記第１の電極１１または第２の電極１３への配線等は実質的に含まない。特に、本発明では、圧電シート１２の厚み方向から見た前記圧電振動領域１５の形が、長さの等しい２つの直線を含む３つの辺からなることを特徴とする。
【００１６】
本発明では、前記第１の電極１１及び第２の電極１３の少なくとも一方の電極が共振器としての共振周波数の振動波長の０．０５倍以上の厚みを有する。前記第１の電極及び第２の電極の少なくとも一方もしくは両者の電極が共振器の振動波長の０．０５倍以上の厚みを有することにより薄膜圧電共振器のＱ値を高することができる。また、前記第１の電極及び第２の電極の少なくとも一方もしくは両者の電極の厚みは、高い電気機械結合係数を得るために、共振器の振動波長の０．２５倍以下であることが好ましい。
【００１７】
図１（ｂ）は、前記薄膜圧電共振器の圧電シートの厚み方向から見た前記圧電振動領域１５の形（以下圧電振動領域の形という）を示す模式的平面図である。圧電振動領域１５の形は、長さの等しい２つの直線を含む３つの辺からなっており、特に、図１（ｂ）では、圧電振動領域が直角二等辺三角形となっている。長さの等しい２つの直線を含む３つの辺からなる形としては、直角二等辺三角形の他に、図２に示すように、二等辺三角形（図２ａ）、正三角形（図２ｂ）、扇形（図２ｃ）などが挙げられる。前記圧電振動領域１５の形を、長さの等しい２つの直線を含む３つの辺からなる形とすることにより、横モードにより不規則な成分を含まない吸収及び／又は伝送スペクトルを有する薄膜圧電共振器の作製が可能となる。
【００１８】
以下、スパイクの発生原因である振動の横モードについて説明する。図３に示すような圧電振動領域となる前記第１の電極と前記第２の電極の重なり部分３０が矩形をした従来型の薄膜圧電共振器を例に説明する。前記矩形は２組の平行な２辺により構成されているので、いかなる点から横モード振動が発生しても平行な辺の１点で反射して同じ点に戻ってくる。例えば、圧電振動領域の境界点３１から発生した横モードの波は伝播経路３２を通り対面する辺により反射し、再び経路３２を戻ってくる。すなわち経路長は２Ｗである。同様に圧電振動領域の境界点３３から発生した横モードについても経路長Ｗを有する経路３４を通り対向する辺により反射し、再び経路３４を戻ってくるため経路長は２Ｗである。このように外周上に同一の周波数を持つ横モード振動が存在することによりスパイクが発生する。
【００１９】
図４は、本発明の圧電振動領域の形が、長さの等しい２つの直線を含む３つの辺からなる場合の横モード振動の説明図である。図４に示す圧電振動領域の形、即ち前記第１の電極と前記第２の電極の重なり部分、即ち圧電振動領域１５の形は、対向する辺が平行ではない点で図３に示した重なり部分、即ち圧電振動領域１５の形とは異なっている。図４に示す圧電振動領域の形では、１つの辺にある点４１を出た波は対向する辺で反射してその波が出た同じ点に戻ってくることはある入射角を除いてない。このように外周上に同一の周波数を持つ横モード振動による共振あるいは定在波が存在しにくくなることによりスパイクの発生を抑制している。
【００２０】
本発明の薄膜圧電共振器では、構成部品の制限は特にないが、圧電シートの材料としては、酸化亜鉛（ＺｎＯ）や窒化アルミニウム（ＡｌＮ）が挙げられる。特に窒化アルミニウム（ＡｌＮ）は、音速が大きく周波数変動／膜圧変動が小さいため量産性に優れ、温度係数についてもＺｎＯの半分以下となるなどの点で好ましい。
【００２１】
また、第１および第２の電極としては、モリブデン（Ｍｏ）、金（Ａｕ）、アルミニウム（Ａｌ）などが挙げられるが、モリブデン（Ｍｏ）が比較的安価であり、製造工程における取り扱いの容易さの点から好ましい。
【００２２】
基盤としては、シリコン（Ｓｉ）、酸化シリコン（ＳｉＯ２）、ガリウム砒素（ＧａＡｓ）、ガラスなどが挙げられる。
【００２３】
基板の空洞としては、基板に凹部を形成したものでもよいし、基板の裏面からエッチング等により、空間を形成したものでもよい。また、空洞部を図５に示すように音響インピーダンスの異なる材料層５１が交互に重ねられたものに置き換えてもよい。電極層と圧電シートによるサンドイッチ構造部についてもこれらが複数重ねられたものでもよい。
【００２４】
本発明の薄膜圧電共振器は、特許文献１や特許文献２などに示される製造方法と同様に製造できる。例えば、シリコン（Ｓｉ）、酸化シリコン（ＳｉＯ２）、ガリウム砒素（ＧａＡｓ）、ガラスなどにより構成された基板上に、モリブデン（Ｍｏ）、金（Ａｕ）、アルミニウム（Ａｌ）などにより構成された底部の電極（第１の電極もしくは第２の電極）をスパッタリング法などの蒸着法により堆積し、酸化亜鉛（ＺｎＯ）や窒化アルミニウム（ＡｌＮ）などの圧電材料をスパッタリング法などの蒸着法により堆積し、モリブデン（Ｍｏ）、金（Ａｕ）、アルミニウム（Ａｌ）などにより構成された頂部の電極（第２の電極もしくは第１の電極）をスパッタリング法などの蒸着法により堆積することにより薄膜圧電共振器が製造される。このとき、前記底部の電極の下層は空洞の領域もしくは高音響インピーダンスを有する金（Ａｕ）、モリブデン（Ｍｏ）、タングステン（Ｗ）と低音響インピーダンスを有するシリコン（Ｓｉ）、酸化シリコン（ＳｉＯ２）、アルミニウム（Ａｌ）などが交互に重ねられた層により構成された音響ミラー層である。
【００２５】
本発明の薄膜圧電フィルタは本発明の薄膜圧電共振器を用いたフィルタであり、フィルタ構成の１つとして図６に示すような複数の共振器がアンテナ入力端子線に対して直列に接続した共振器６１と並列に接続した共振器６２が梯子状に配置されたラダー型フィルタがある。このようなフィルタは、１つの基板上に、前記ラダ−型フィルタの回路構成となるように複数の圧電薄膜共振器を形成することで、製造できる。
【００２６】
本発明の薄膜圧電フィルタは、前記本発明の圧電薄膜共振器を複数用いた薄膜圧電フィルタであって、フィルタを構成する全ての圧電薄膜共振器において、隣り合う電気的に結合されている薄膜圧電共振器が、前記圧電振動領域を構成する二等辺三角形または扇形の３つの辺のうちの、長さの等しい２辺の内の１辺どうしが対向するように、配置されている。本発明の薄膜圧電フィルタの一実施形態を図７に示す。本発明の薄膜圧電フィルタは、フィルタを構成する全ての圧電薄膜共振器において、前記圧電振動領域を構成する二等辺三角形または扇型などの３辺のうち図７に示すように前記圧電振動領域を構成する長さの等しい２辺のうちの１辺７１、７２が対向するように薄膜圧電共振器を配置し、電気的に結合することにより、複数の薄膜圧電共振器を狭い領域に密集させることが可能となる。このとき電気伝送線路７３の電気抵抗は（抵抗率×電気伝送線路長）／電気伝送線路断面積で表わされ、前記のように薄膜圧電共振器が配置されることにより電気伝送線路７３の長さを小さくすることができ、電気抵抗を小さくすることができる。これにより共振器間の電気伝送線路の電気損失を小さくすることができ、低損失でＱの高い薄膜圧電フィルタを提供することができる。
【００２７】
圧電振動領域を構成する二等辺三角形または扇形の３つの辺のうちの、長さの等しい２辺の内の１辺どうしが対向するように配置されている本発明の薄膜圧電フィルタが、小型で低損失であることを、さらに、図８を用いて説明する。図８（ａ）および（ｂ）は、共に、同一面積の正方形の中に、４つの共振器形成した場合の模式図である。図８（ａ）の共振器は、従来の共振器の例として、正方形の圧電振動領域の形をしており、図８（ｂ）の共振器は、本願発明の一実施形態として、圧電振動領域の形が直角二等辺三角形である。同一面積に４つの共振器を形成しているため、図８（ａ）と図８（ｂ）の共振器の面積は同一である。しかしながら、図８の比較からわかるように、隣り合う共振器の対向する辺８１の長さは、明らかに図８（ｂ）の方が図（ａ）より長い。このように、本願発明の実施形態である図８（ｂ）の薄膜圧電フィルタは、図８（ａ）のフィルタに比べ、電気伝送線路の電気損失を小さくすることができ、低損失でＱの高い薄膜圧電フィルタとすることができる。逆に、同一の電気伝送線路の電気損失を得る場合、本願発明の薄膜圧電フィルタは、小型にすることが可能である。
【実施例】
【００２８】
（実施例１）
図９に示すような、２つの直列の薄膜圧電共振器１０１、１０２と、２つの並列の薄膜圧電共振器１０３、１０４とにより構成した回路を有するフィルタ１０５を作製した。その際、それぞれの薄膜圧電共振器の圧電振動領域の形は、直角二等辺三角形とし、図１０に示すように各薄膜圧電共振器を配置し、薄膜圧電フィルタを作製した。図１０において、上部電極は実線、下部電極は点線で示し、圧電振動領域を斜線にて示した。また、各薄膜圧電共振器１０１〜１０４の静電容量は１〜３ｐＦ程度にそれぞれ設定した。
【００２９】
作製した薄膜圧電共振器を有するフィルタの一部断面図を図１２に示す。フィルタは以下のようにして作製した。
【００３０】
まず、図１２に示すようにＳｉ基板１６の表面に絶縁層１７としてＳｉＯ２を熱酸化により約１μｍ形成した。続いて、絶縁層１７の上に、空洞を形成するための犠牲層としてＴｉをスパッタリング法により５０ｎｍ堆積した（図示せず）。これを各薄膜共振器が有する静電容量に合わせてエッチングによりパターニングを施した。
【００３１】
続いて、第１の電極１１としてＭｏをスパッタリング法により約３００ｎｍ堆積し、所望の形状とするためにエッチングによりパターニングを行った。続いて、圧電材料としてＡｌＮを用い、ＡｌＮをスパッタリング法により約１３００ｎｍ堆積し圧電シート１２を形成し、所望の形状とするためにエッチングによりパターニングを行った。続いて、第２の電極１３としてＭｏを第１の電極のＭｏと同様の方法で約３００ｎｍ堆積し、パターニングを行った。
【００３２】
続いて、直列の薄膜圧電共振器２０と並列の薄膜圧電共振器３０の周波数を調整するために、並列の薄膜圧電共振器３０の第２の電極の上に、Ｍｏを第２の電極のＭｏと同様の方法でさらに約５０ｎｍ堆積し、並列の薄膜圧電共振器３０のみに堆積された状態となるようにエッチングによるパターニングを行った。
【００３３】
続いて、第２の電極１３から各共振器につき４〜５個の１μｍφ程度の貫通孔１９を犠牲層のＴｉまでエッチングにより開けた。
【００３４】
続いて、エッチング液を貫通孔１９より犠牲層に注入し、犠牲層のＴｉを除去すると共に、犠牲層の下に接した層の一部も除去することにより、第１電極下に空洞層１４を形成し、本発明における薄膜圧電共振器を有するフィルタ４０を得た。このようにして得たフィルタの通過特性を図１２に示す。図１２に示されるように圧電振動領域の横モード振動による影響が少なく、スパイクなどの不規則な成分が押さえられ、挿入損失が少なく、優れたフィルタの特性を得ることができた。さらに、図１０からわかるように、複数の共振器を狭い領域に配置でき、小型の薄膜圧電フィルタを構成できた。
【００３５】
（比較例１）
第１の電極と第２の電極による重なり部分の形状を正方形とし、図１３のように共振器を配置した以外は実施例１と同様にしてフィルタを作製した。フィルタ中の回路構成及び各薄膜圧電共振器の静電容量は実施例１と同様である。得られたフィルタの通過特性を図１４に示す。図１０に示した本発明の薄膜圧電共振器を用いて得られたフィルタに比べ、薄膜圧電フィルタを構成する薄膜圧電共振器の形状が正方形である薄膜圧電フィルタは図１４に示すようにスパイク１５１などの不規則な成分が見られ、挿入損失が増加し、好ましいフィルタ特性は得られなかった。また、電気伝送線路幅が狭くなるなど制約が多く、小型のフィルタを構成することができなかった。
【図面の簡単な説明】
【００３６】
【図１】（ａ）本発明の薄膜圧電共振器の一実施形態の模式的断面図、および（ｂ）圧電振動領域を示す模式的平面図である。
【図２】本発明の薄膜圧電共振器の圧電振動領域の他の形を示す説明図である。
【図３】従来の薄膜圧電共振器の圧電振動領域の形を示す説明図である。
【図４】本発明の薄膜圧電共振器の圧電振動領域の横モードに関する説明図である。
【図５】本発明の薄膜圧電共振器の他の一実施形態の断面図である。
【図６】本発明による薄膜圧電共振器により構成されたラダー型フィルタの構成図である。
【図７】本発明の薄膜圧電フィルタの一実施形態における薄膜圧電共振器の配置図である。
【図８】本発明の薄膜圧電共振器を用いた薄膜圧電フィルタの効果を説明する共振器の模式的配置図である。
【図９】実施例１で作製したフィルタの構成図である。
【図１０】実施例１で作製したフィルタの薄膜圧電共振器配置図である。
【図１１】実施例１で作製したフィルタの模式的断面図である。
【図１２】実施例１で得られた本発明の薄膜圧電共振器を用いたフィルタのフィルタ通過特性波形図である。
【図１３】比較例１で作製したフィルタの薄膜圧電共振器配置図である。
【図１４】比較例１で得られた従来の薄膜圧電共振器を用いたフィルタのフィルタ通過特性波形図である。
【符号の説明】
【００３７】
１０、２０、３０、６１、６２、１０１〜１０４  薄膜圧電共振器
１１  第１の電極
１２  圧電シート
１３  第２の電極
１４  空洞領域
１５  圧電振動領域
１６  Ｓｉ基板
１８  周波数調整用Ｍｏ
１９  貫通孔
３１、３３、４１  圧電振動領域境界上の任意の点
３２、３４  横モード波の伝搬経路
４０、１０５  フィルタ
５１  音響ミラー
７１、７２、８１  薄膜圧電共振器内における長さの等しい２辺のうちの１辺
７３  薄膜圧電共振器間の電気伝送線路
１５１  スパイク
【図１】
2006245979.tif 000003
【図２】
2006245979.tif 000004
【図３】
2006245979.tif 000005
【図４】
2006245979.tif 000006
【図５】
2006245979.tif 000007
【図６】
2006245979.tif 000008
【図７】
2006245979.tif 000009
【図８】
2006245979.tif 000010
【図９】
2006245979.tif 000011
【図１０】
2006245979.tif 000012
【図１１】
2006245979.tif 000013
【図１２】
2006245979.tif 000014
【図１３】
2006245979.tif 000015
【図１４】
2006245979.tif 000016